(57)【要約】  【課題】水滴からカメラや画像を守るカメラシステムを提供する。  【解決手段】カメラボディのレンズ鏡筒５に沿った位置（水滴センサ３ｅ）、撮影レンズのフロントカバー１、鏡筒５の周囲、およびカメラボディの上面にそれぞれ水滴センサを配設し、雨滴などの水滴付着を検出する。水滴検出されたセンサに応じて表示器７（図５）のランプを点灯させる。水滴検出後、鏡筒５を沈胴させてレンズバリア羽根６を閉じた上で電源オフ処理を行う。電源オフ時も表示器７（図５）によるランプ点灯状態を保持させる。  【選択図】図１
2005274701.tif 000002
【特許請求の範囲】
【請求項１】
カメラの表面に付着した水滴を検出する水滴検出手段と、
前記水滴検出手段による水滴検出に応じて、撮影レンズを保護する開閉自在なレンズバリアを閉鎖する指示、前記撮影レンズの鏡筒を沈胴する指示、電源オフ処理を実行する指示、および被写体を照明する閃光装置の発光を禁止する指示の少なくとも１つを指示して水滴から守る制御手段とを備えることを特徴とするカメラシステム。
【請求項２】
請求項１に記載のカメラシステムにおいて、
前記水滴検出手段によって水滴が検出されたことを示す表示を行う表示手段をさらに備え、
前記制御手段は、前記水滴検出に応じて前記表示手段へ表示をさらに指示することを特徴とするカメラシステム。
【請求項３】
請求項２に記載のカメラシステムにおいて、
自己復帰型操作部材によって構成される電源スイッチをさらに備え、
前記制御手段は、前記電源スイッチからの操作信号に応じて電源オン処理および電源オフ処理のいずれか一方の実行をさらに指示することを特徴とするカメラシステム。
【請求項４】
請求項３に記載のカメラシステムにおいて、
前記表示手段は、前記水滴検出を示す表示中に前記電源オフ処理が実行された場合は少なくとも前記水滴検出を示す表示を保持することを特徴とするカメラシステム。
【請求項５】
請求項４に記載のカメラシステムにおいて、
前記制御手段は、電源オン処理を指示後ただちに前記表示手段へ前記水滴検出を示す表示の停止を指示することを特徴とするカメラシステム。
【請求項６】
カメラの表面に付着した水滴を検出する水滴検出手段と、
前記水滴検出手段で水滴が検出されている状態で被写体を照明する閃光装置が発光する発光時間を所定時間より長くすることにより、雨滴が画像に写らないように画像を守る制御手段とを備えることを特徴とするカメラシステム。
【請求項７】
請求項６に記載のカメラシステムにおいて、
前記制御手段は、前記発光時間を長くする場合は所定光量が得られるように発光レベルを低くすることを特徴とするカメラシステム。
【発明の詳細な説明】
【技術分野】
【０００１】
本発明は、カメラシステムに関する。
【背景技術】
【０００２】
雨滴などによる水滴を検知し、検知した水滴を排除する技術が知られている（特許文献１参照）。特許文献１には、自動車のフロントシールドの水滴を検出してワイパーを駆動し、水滴によって運転者の視界が妨げられることを防止する技術が開示されている。
【０００３】
【特許文献１】特開２０００−３１３３１５号公報
【発明の開示】
【発明が解決しようとする課題】
【０００４】
特許文献１に記載の技術は、水滴を検知するとその水滴を排除するようにしたものであり、水滴から防護することはできない。すなわち、付着した水滴を除くだけで、水から守ることができない。
【課題を解決するための手段】
【０００５】
本発明によるカメラシステムは、カメラの表面に付着した水滴を検出する水滴検出手段と、水滴検出手段による水滴検出に応じて、撮影レンズを保護する開閉自在なレンズバリアを閉鎖する指示、撮影レンズの鏡筒を沈胴する指示、電源オフ処理を実行する指示、および被写体を照明する閃光装置の発光を禁止する指示の少なくとも１つを指示する制御手段とを備えることを特徴とする。
カメラシステムはさらに、水滴検出手段によって水滴が検出されたことを示す表示を行う表示手段を備えてもよい。この場合の制御手段は、水滴検出に応じて表示手段へ表示をさらに指示することもできる。
自己復帰型操作部材によって構成される電源スイッチをさらに備えてもよく、この場合の制御手段は、電源スイッチからの操作信号に応じて電源オン処理および電源オフ処理のいずれか一方の実行をさらに指示することもできる。
水滴検出を示す表示中に電源オフ処理が実行された場合は少なくとも水滴検出を示す表示を保持するように表示手段を構成してもよい。この場合の制御手段は、電源オン処理を指示後ただちに表示手段へ水滴検出を示す表示の停止を指示することもできる。
本発明によるカメラシステムは、カメラの表面に付着した水滴を検出する水滴検出手段と、水滴検出手段で水滴が検出されている状態で被写体を照明する閃光装置が発光する発光時間を所定時間より長くする発光制御手段とを備えることを特徴とする。
発光制御手段は、発光時間を長くする場合は所定光量が得られるように発光レベルを低くすることもできる。
【発明の効果】
【０００６】
請求項１に記載の発明によるカメラシステムでは、さらに濡れないようにして水滴からカメラを守ったり、付着した水滴で照明光が多重反射することによる画質劣化から画像を守ることができる。
請求項６に記載の発明によるカメラシステムでは、雨滴が止まって写らないようにして画像を守ることができる。
【発明を実施するための最良の形態】
【０００７】
以下、図面を参照して本発明を実施するための最良の形態について説明する。
（第一の実施形態）
図１は、本発明の第一の実施形態によるカメラの外観を説明する正面図である。図１において、カメラボディにレンズ鏡筒５が沈胴可能に設けられ、レンズ鏡筒５にフロントカバー１が配設されている。フロントカバー１の開口１ａは、レンズバリア羽根６で閉じられている。開口１ａの両脇にはそれぞれ白色ＬＥＤなどで構成される低輝度照明灯の発光窓１３が配設されている。レンズバリア羽根６は、レンズ鏡筒５がカメラボディに沈胴すると閉じるように構成されている。
【０００８】
カメラボディにはさらに、レンズ鏡筒５に沿って円弧状に溝部４ｄが形成されている。溝部４ｄの底には幅３ｃの間隔で配設された１対のセンサで構成される水滴センサ３ｅが配設される。発光窓１２は、キセノン管などの放電管によって構成される高輝度照明灯による照明光を出力する。カメラボディの上面にはレリーズボタン１０および起動スイッチ１１がそれぞれ配設される。
【０００９】
図２は図１のカメラの要部構成を説明するブロック図である。図２において、カメラは制御回路２１と、水滴検知回路２２と、表示器２３と、鏡筒駆動回路２４と、鏡筒駆動機構２５と、自己復帰型スイッチ２６と、操作部材２７と、撮影装置２８と、照明装置２９と、電源回路３０とを含む。
【００１０】
制御回路２１は、撮影時の演算処理を含めたカメラ動作全体の制御を行う。水滴検知回路２２は、水滴センサ３ｅ〜３ｈから入力される信号に基づいてカメラに付着した水滴を検出し、検出信号を制御回路２１へ送出する。カメラには図１の水滴センサ３ｅを含めて４系統の水滴センサが配設されている。
【００１１】
図３は、水滴センサ３ｆを説明する図である。図３において、フロントカバー１の開口１ａの周囲を１周する溝部４ａがフロントカバー１に形成されている（図１においては省略）。溝部４ａの底には幅３ａの間隔で配設された１対のセンサで構成される水滴センサ３ｆが配設される（Ａ−Ａ'断面図参照）。
【００１２】
図４は、水滴センサ３ｇを説明する図である。図４において、鏡筒５の周囲を１周する溝部４ｂが鏡筒５に形成されている。溝部４ｂの底には幅３ｂの間隔で配設された１対のセンサで構成される水滴センサ３ｇが配設される（Ｂ−Ｂ'断面図参照）。
【００１３】
図５は、図１のカメラの上面図である。図５において、カメラボディの上面に溝部４ｃが形成されている。溝部４ｃの底には幅３ｄの間隔で配設された１対のセンサで構成される水滴センサ３ｈが配設される。表示器７は、水滴検知回路２２で水滴が検出されたことを撮影者に報知するための表示器である。液晶表示器８は、撮影コマ数などの撮影情報を表示する表示器である。
【００１４】
図６は、水滴検知回路２２の構成例を説明する図である。水滴検知回路２２は、Ａ／Ｄコンバータ２２１と、トランジスタ２２２と、電池２２３と、抵抗器２２４および２２５とを有する。水滴センサ３ｆに水滴がついていない状態ではトランジスタ２２２がオフするので、Ａ／Ｄコンバータ２２１で検出される電圧は０である。水滴センサ３ｆに水滴が付着すると１対のセンサ間のインピーダンスが低下するので、トランジスタ２２２がオンすることによってＡ／Ｄコンバータ２２１で検出される電圧が上昇する。したがって、制御回路２１は、Ａ／Ｄ変換後のディジタル値が判定閾値より大きくなった場合にセンサに水滴がついたと判定する。水滴検知回路２２は、図６に示す構成を水滴センサ３ｅ〜３ｈごとにそれぞれ備え、各センサに対応する検出信号を制御回路２１へ出力するように構成される。
【００１５】
図２の表示器２３は図５の表示器７に対応する。表示器２３は、制御回路２１からの指令に応じて対応するランプ（ＬＥＤなど）を点灯する。図５の例では、「２」に対応するランプが点灯されている。たとえば、レンズ鏡筒５に沿った水滴センサ３ｅを「１」、フロントカバー１の水滴センサ３ｆを「２」、鏡筒５の周囲の水滴センサ３ｇを「３」、カメラの上面の水滴センサ３ｈを「４」とすると、図５はフロントカバー１の水滴センサ３ｆで水滴が検出された状態を示す。
【００１６】
鏡筒駆動回路２４は、制御回路２１からの指令に応じて鏡筒駆動機構２５へ駆動信号を送出する。鏡筒駆動機構２５は不図示のモータを含み、駆動信号に応じた回転方向にモータを回転させることにより、鏡筒５の繰出しおよび沈胴を行う。レンズバリア羽根６の開閉動作は鏡筒５の駆動シーケンスの一部に組み入れられており、鏡筒５が沈胴するとレンズバリア羽根６が閉じられ、鏡筒５の繰出し開始時にレンズバリア羽根６が開かれる。
【００１７】
自己復帰型スイッチ２６は図５の起動スイッチ１１に対応する。制御回路２１は、自己復帰型スイッチ２６から操作信号が入力されるごとに、電源オフ時には電源オン処理を、電源オン時には電源オフ処理をそれぞれ行う。電源オン処理は、電源回路３０に対してカメラ内の各ブロックへ電源供給開始を指示するとともに、所定のプログラムを起動するものである。電源オフ処理は、実行中のプログラムを終了するとともに、電源回路３０に対して電源供給停止を指示するものである。
【００１８】
操作部材２７は図５のレリーズボタン１０やズームスイッチ（不図示）などを含み、カメラ操作に応じた操作信号を制御回路２１へ送出する。撮影装置２８は、不図示のシャッタ部材や絞りなどを含み、フィルムなどの感光部材またはＣＣＤなどの受光素子に対する露光制御を行う。撮影装置２８は、レリーズ操作信号に応じて制御回路２１から送出される指令により撮影を開始する。
【００１９】
照明装置２９は図１の低輝度照明灯（発光窓１３）および高輝度照明灯（発光窓１２）に対応する。高輝度照明灯は、露光時間中に所定時間だけ高レベルの光を発して主要被写体を照明するように構成されている。低輝度照明灯は、露光時間中に少なくとも上記高輝度照明灯の発光時間より長く、かつ高輝度照明灯より低いレベルの光を発して主要被写体を照明する。なお、低輝度照明灯の発光レベルおよび発光時間は、発光レベルを下げる場合は発光時間を長く、発光レベルを上げる場合には発光時間を短くすることによって所定の光量が得られるように調節される。
【００２０】
電源回路３０は、電池（不図示）から供給される電圧をカメラ内の各ブロックで必要な電圧に変換して各ブロックへ供給する。各ブロックに対する電源供給の開始および停止は制御回路２１からの指令によって行う。なお、電源オフ時にも制御回路３０が自己復帰型スイッチ２６からの操作信号を検出して電源オン処理できるように、制御回路２１へは最小限の電力が供給されるように構成されている。
【００２１】
本発明は、上記のカメラで水滴が検出された場合の動作に特徴を有する。第一の実施形態では、カメラが水滴を検出すると撮影を禁止する。
【００２２】
カメラの制御回路２１で行われるメイン処理の流れについて、図７および図８のフローチャートを参照して説明する。図７の処理によるプログラムは、カメラに電池（不図示）が装填されるとスタートする（ステップＳ１０１）。
【００２３】
図７のステップＳ１０２において、制御回路２１は、メインスイッチがＯＮされたか否かを判定する。制御回路２１は、自己復帰型スイッチ２６から操作信号が入力されるとステップＳ１０２を肯定判定してステップＳ１０２Ａへ進み、操作信号が入力されない場合にはステップＳ１０２を否定判定し、当該判定処理を繰り返す。
【００２４】
ステップＳ１０２Ａにおいて、制御回路２１は、電源オン処理を行ってステップＳ１０３へ進む。ステップＳ１０３において、制御回路２１は、警告表示を点灯中か否かを判定する。制御回路２１は、表示器７（図５）のいずれかのランプを点灯させている場合にステップＳ１０３を肯定判定してステップＳ１０４へ進み、いずれのランプも点灯させていない場合にはステップＳ１０３を否定判定してステップＳ１０５へ進む。
【００２５】
ステップＳ１０４において、制御回路２１は、表示器７による警告表示を解除（ランプ消灯）させてステップＳ１０５へ進む。ステップＳ１０５において、制御回路２１は鏡筒駆動回路２４へ指令を送り、鏡筒５を駆動するモータ（不図示）を正回転させてステップＳ１０６へ進む。モータの正回転は、鏡筒５をTele側へ繰り出す向きの回転である。
【００２６】
ステップＳ１０６において、制御回路２１は、鏡筒５の繰り出し位置がWide端か否かを判定する。制御回路２１は、鏡筒駆動機構２５から入力される鏡筒位置情報がWide端を示す場合にステップＳ１０６を肯定判定してステップＳ１０７へ進み、鏡筒位置情報がWide端を示さない場合にはステップＳ１０６を否定判定し、当該判定処理を繰り返す。Wide端は、撮影状態における初期位置である。
【００２７】
ステップＳ１０７において、制御回路２１は鏡筒駆動回路２４へ指令を送り、鏡筒駆動用モータ（不図示）を停止させてステップＳ１０８へ進む。
【００２８】
ステップＳ１０８において、制御回路２１は、水滴を検知したか否かを判定する。制御回路２１は、水滴検知回路２２から検出信号が入力された場合にステップＳ１０８を肯定判定して図８のステップＳ１２９へ進み、水滴検知回路２２から検出信号が入力されない場合にはステップＳ１０８を否定判定し、ステップＳ１０９へ進む。
【００２９】
ステップＳ１０９において、制御回路２１は、メインスイッチがＯＦＦされたか否かを判定する。制御回路２１は、自己復帰型スイッチ２６から操作信号が入力されるとステップＳ１０９を肯定判定してステップＳ１１０へ進み、操作信号が入力されない場合にはステップＳ１０９を否定判定し、ステップＳ１１５へ進む。
【００３０】
ステップＳ１１０において、制御回路２１は鏡筒駆動回路２４へ指令を送り、鏡筒５を駆動するモータ（不図示）を逆回転させてステップＳ１１１へ進む。モータの逆回転は、鏡筒５をWide側へ駆動して沈胴させる向きの回転である。
【００３１】
ステップＳ１１１において、制御回路２１は、鏡筒５の位置が沈胴位置か否かを判定する。制御回路２１は、鏡筒駆動機構２５から入力される鏡筒位置情報が沈胴位置を示す場合にステップＳ１１１を肯定判定してステップＳ１１２へ進み、鏡筒位置情報が沈胴位置を示さない場合にはステップＳ１１１を否定判定し、当該判定処理を繰り返す。
【００３２】
ステップＳ１１２において、制御回路２１は鏡筒駆動回路２４へ指令を送り、鏡筒駆動用モータ（不図示）を停止させてステップＳ１１３へ進む。なお、上述したように、レンズバリア羽根６は鏡筒５が沈胴すると閉じられる。ステップＳ１１３において、制御回路２１は、電源オフ処理を行って図７による処理を終了する。
【００３３】
ステップＳ１１５において、制御回路２１は、レリーズスイッチがＯＮされたか否かを判定する。制御回路２１は、操作部材２７からレリーズ操作信号が入力された場合にステップＳ１１５を肯定判定してステップＳ１１６へ進み、レリーズ操作信号が入力されない場合にはステップＳ１１５を否定判定し、ステップＳ１１９へ進む。
【００３４】
ステップＳ１１６において、制御回路２１は、測光処理および測距処理を行ってステップＳ１１７へ進む。具体的には、不図示の測光回路で検出される被写体輝度情報を入力し、この輝度情報、カメラに設定されている絞り値、シャッタ速度およびフィルム感度に基づいて周知の露出演算を行う。制御回路２１はさらに、周知の焦点検出処理を行って被写体距離情報を取得し、距離情報に応じて不図示のフォーカスレンズを光軸方向に進退駆動させる。
【００３５】
ステップＳ１１７において、制御回路２１は撮影装置２８に指令を送り、シャッタを開閉駆動させてステップＳ１１８へ進む。これにより、撮影が行われる。
【００３６】
ステップＳ１１８において、制御回路２１は、水滴を検知したか否かを判定する。制御回路２１は、水滴検知回路２２から検出信号が入力された場合にステップＳ１１８を肯定判定して図８のステップＳ１２９へ進み、水滴検知回路２２から検出信号が入力されない場合にはステップＳ１１８を否定判定し、ステップＳ１０９へ戻る。これにより、次の操作指示を待機する。
【００３７】
ステップＳ１１９において、制御回路２１は、ズームスイッチ（Ｔ）がＯＮされたか否かを判定する。制御回路２１は、操作部材２７からTele側へズームアップする操作信号が入力されるとステップＳ１１９を肯定判定してステップＳ１２０へ進み、ズームアップする操作信号が入力されない場合にはステップＳ１１９を否定判定してステップＳ１２３へ進む。
【００３８】
ステップＳ１２０において、制御回路２１は制限端か否かを判定する。制御回路２１は、鏡筒駆動機構２５から入力される鏡筒位置情報がTele端を示す場合にステップＳ１２０を肯定判定してステップＳ１２７へ進み、鏡筒位置情報がTele端を示さない場合にはステップＳ１２０を否定判定し、ステップＳ１２１へ進む。
【００３９】
ステップＳ１２１において、制御回路２１は鏡筒駆動回路２４へ指令を送り、鏡筒駆動用モータ（不図示）を正回転させてステップＳ１２２へ進む。ステップＳ１２２において、制御回路２１は、ズームスイッチ（Ｔ）がＯＦＦされたか否かを判定する。制御回路２１は、操作部材２７からTele側へズームアップする操作信号が入力されなくなるとステップＳ１２２を肯定判定してステップＳ１２２Ａへ進み、ズームアップする操作信号が入力されている場合にはステップＳ１２２を否定判定し、当該判定処理を繰り返す。
【００４０】
ステップＳ１２２Ａにおいて、制御回路２１は鏡筒駆動回路２４へ指令を送り、鏡筒駆動用モータ（不図示）を停止させてステップＳ１２７へ進む。
【００４１】
ステップＳ１２７において、制御回路２１は、水滴を検知したか否かを判定する。制御回路２１は、水滴検知回路２２から検出信号が入力された場合にステップＳ１２７を肯定判定して図８のステップＳ１２９へ進み、水滴検知回路２２から検出信号が入力されない場合にはステップＳ１２７を否定判定し、ステップＳ１０９へ戻る。これにより、次の操作指示を待機する。
【００４２】
ステップＳ１２３において、制御回路２１は、ズームスイッチ（Ｗ）がＯＮされたか否かを判定する。制御回路２１は、操作部材２７からWide側へズームダウンする操作信号が入力されるとステップＳ１２３を肯定判定してステップＳ１２４へ進み、ズームダウンする操作信号が入力されない場合にはステップＳ１２３を否定判定してステップＳ１２７へ進む。
【００４３】
ステップＳ１２４において、制御回路２１は制限端か否かを判定する。制御回路２１は、鏡筒駆動機構２５から入力される鏡筒位置情報がWide端を示す場合にステップＳ１２４を肯定判定してステップＳ１２７へ進み、鏡筒位置情報がWide端を示さない場合にはステップＳ１２４を否定判定し、ステップＳ１２５へ進む。
【００４４】
ステップＳ１２５において、制御回路２１は鏡筒駆動回路２４へ指令を送り、鏡筒駆動用モータ（不図示）を逆回転させてステップＳ１２６へ進む。ステップＳ１２６において、制御回路２１は、ズームスイッチ（Ｗ）がＯＦＦされたか否かを判定する。制御回路２１は、操作部材２７からWide側へズームダウンする操作信号が入力されなくなるとステップＳ１２６を肯定判定してステップＳ１２６Ａへ進み、ズームダウンする操作信号が入力されている場合にはステップＳ１２６を否定判定し、当該判定処理を繰り返す。
【００４５】
ステップＳ１２６Ａにおいて、制御回路２１は鏡筒駆動回路２４へ指令を送り、鏡筒駆動用モータ（不図示）を停止させてステップＳ１２７へ進む。
【００４６】
図８のステップＳ１２９以降は水滴検知後の処理である。ステップＳ１２９において、制御回路２１は、水滴検知を警告するとともに水滴検知系統を報知する表示をホールドさせる指示を行ってステップＳ１３０へ進む。具体的には、制御回路２１が表示器７（図５）のランプのうち水滴を検出したセンサに対応するランプを点灯させるとともに、電源オフ時も当該ランプの点灯状態を保持させる。
【００４７】
ステップＳ１３０において、制御回路２１は鏡筒駆動回路２４へ指令を送り、鏡筒駆動用モータ（不図示）を逆回転させてステップＳ１３１へ進む。モータの逆回転は、鏡筒５をWide側へ駆動して沈胴させる向きの回転である。
【００４８】
ステップＳ１３１において、制御回路２１は、鏡筒５の位置が沈胴位置か否かを判定する。制御回路２１は、鏡筒駆動機構２５から入力される鏡筒位置情報が沈胴位置を示す場合にステップＳ１３１を肯定判定してステップＳ１３２へ進み、鏡筒位置情報が沈胴位置を示さない場合にはステップＳ１３１を否定判定し、当該判定処理を繰り返す。
【００４９】
ステップＳ１３２において、制御回路２１は鏡筒駆動回路２４へ指令を送り、鏡筒駆動用モータ（不図示）を停止させてステップＳ１３３へ進む。上述したように、レンズバリア羽根６は鏡筒５が沈胴すると閉じられる。ステップＳ１３３において、制御回路２１は、電源オフ処理を行って図８による処理を終了する。これにより、水滴がカメラの撮影に必要な部分にさらにかかることがないようにカメラを水から保護することができる。この状態では、表示器７（図５）のランプ点灯状態が保持される。
【００５０】
以上説明した第一の実施形態によれば、次の作用効果が得られる。
（１）カメラボディのレンズ鏡筒５に沿った位置（水滴センサ３ｅ）、撮影レンズ２のフロントカバー１（水滴センサ３ｆ）、鏡筒５の周囲（水滴センサ３ｇ）、およびカメラボディの上面（水滴センサ３ｈ）にそれぞれ水滴センサを配設し、雨滴などの水滴付着を検出するようにした。したがって、カメラ上の複数の異なる位置でそれぞれ水滴検出を行うことができる。
【００５１】
（２）水滴検出されたセンサに応じて表示器７（２３）で点灯させるランプを切り換えるようにしたので、カメラが濡れたことを警告するとともに、カメラのどこが濡れたかを撮影者に報知することができる。
【００５２】
（３）水滴検出後、鏡筒５を沈胴させてレンズバリア羽根６を閉じた上で電源オフ処理を行うようにしたので、新たな撮影が禁止される。したがって、たとえば、撮影レンズ２に水滴が付着した状態で水滴により歪められた像を撮影することが防止される。さらに、撮影レンズ２や鏡筒５などをさらなる水滴付着から保護できる。
【００５３】
（４）電源オフ時も表示器７（２３）によるランプ点灯状態を保持させたので、撮影者は、該当個所の水滴を拭うなどの必要な措置をとることが可能になる。
【００５４】
（５）電源オン後ただちに表示器７（２３）によるランプ点灯を一旦解除させた（ステップＳ１０４）ので、ステップＳ１０８で行う水滴検知判定の結果に応じて最新の状態を新たに表示させることが可能になる。
【００５５】
上述した説明では、水滴検出を警告する専用の表示器７を設けたが、撮影コマ数などの撮影情報を表示する液晶表示器８を用いて警告表示させてもよい。この場合には、たとえば、「水滴検知２」というメッセージを液晶表示器８に表示させる。
【００５６】
カメラに液晶表示モニタが備えられている場合には、液晶表示モニタを用いて警告表示させてもよい。図９は、液晶表示モニタを有するカメラの背面図である。図９において、液晶表示モニタ９に「水滴検知２」というメッセージ９ａが表示されている。このように、水滴検出専用の表示器を備えなくても警告表示を行うことができる。
【００５７】
（第二の実施形態）
第二の実施形態では、カメラが水滴を検出すると照明光（撮影補助光）の発光を禁止する。第二の実施形態によるカメラの制御回路２１で行われるメイン処理の流れについて、図１０および図１１のフローチャートを参照して説明する。図１０の処理によるプログラムは、カメラに電池（不図示）が装填されるとスタートする（ステップＳ２０１）。
【００５８】
図１０のステップＳ２０２およびステップＳ２０３の処理は、それぞれ図７におけるステップＳ１０２およびステップＳ１０２Ａの処理と同一なので説明を省略する。
【００５９】
ステップＳ２０４〜ステップＳ２０６の処理は、それぞれ図７におけるステップＳ１０５〜ステップＳ１０７の処理と同一なので説明を省略する。
【００６０】
ステップＳ２０７〜ステップＳ２１１の処理は、それぞれ図７におけるステップＳ１０９〜ステップＳ１１３の処理と同一なので説明を省略する。
【００６１】
ステップＳ２１３において、制御回路２１は、レリーズスイッチがＯＮされたか否かを判定する。制御回路２１は、操作部材２７からレリーズ操作信号が入力された場合にステップＳ２１３を肯定判定してステップＳ２１４へ進み、レリーズ操作信号が入力されない場合にはステップＳ２１３を否定判定し、ステップＳ２１７へ進む。
【００６２】
ステップＳ２１４において、制御回路２１は水滴を検知したか否かを判定する。レリーズＯＮ後に水滴検知判定を行うのは、水滴検知にかかわらず撮影を許可する（禁止しない）ためである。制御回路２１は、水滴検知回路２２から検出信号が入力された場合にステップＳ２１４を肯定判定して図１１のステップＳ２２６へ進み、水滴検知回路２２から検出信号が入力されない場合にはステップＳ２１４を否定判定し、ステップＳ２１５へ進む。
【００６３】
ステップＳ２１５およびステップＳ２１６の処理は、それぞれ図７におけるステップＳ１１６およびステップＳ１１７の処理と同一なので説明を省略する。
【００６４】
ステップＳ２１７〜ステップＳ２２０Ａの処理は、それぞれ図７におけるステップＳ２１９〜ステップＳ１２２Ａの処理と同一なので説明を省略する。
【００６５】
ステップＳ２２１〜ステップＳ２２４Ａの処理は、それぞれ図７におけるステップＳ１２３〜ステップＳ１２６Ａの処理と同一なので説明を省略する。
【００６６】
制御回路２１は、ステップＳ２２０ＡおよびステップＳ２２４Ａの処理の次にステップＳ２０７へ戻り、次の操作指示を待機する。
【００６７】
図１１のステップＳ２２６以降は水滴検知後のサブルーチン処理である。ステップＳ２２６において、制御回路２１は、発光モードか否かを判定する。制御回路２１は、低輝度照明灯（発光窓１３）および高輝度照明灯（発光窓１２）のいずれかの発光が許可されている場合にステップＳ２２６を肯定判定してステップＳ２２７へ進む。制御回路２１は、いずれの照明灯も発光が禁止されている場合にはステップＳ２２６を否定判定し、図１０のステップＳ２１５へ進む。
【００６８】
ステップＳ２２７において、制御回路２１は、発光禁止モードに設定して図１０ステップＳ２１５へ進む。これにより、低輝度照明灯（発光窓１３）および高輝度照明灯（発光窓１２）のいずれも発光が禁止される。
【００６９】
以上説明したように第二の実施形態によれば、レリーズ操作信号に応じて（ステップＳ２１３を肯定判定）撮影を行う前に水滴検知判定を行う（ステップＳ２１４）ようにした。水滴検出すると、照明灯の発光が許可されている場合（ステップＳ２２６を肯定判定）には発光を禁止した上で（ステップＳ２２７）、照明灯の発光が許可されていない場合（ステップＳ２２６を否定判定）にはそのままステップＳ２１５へ進み、それぞれ撮影を開始する。したがって、たとえば、撮影レンズ２に付着した水滴による写り込みなどが防止され、画像を保護することができる。写り込みは、照明光が感光部材と水滴との間で多重反射することによって生じる画質劣化である。
【００７０】
（第三の実施形態）
第三の実施形態では、カメラが水滴を検出すると照明光（撮影補助光）の発光を低輝度照明灯によって行う。第三の実施形態による制御回路２１で行われるメイン処理の流れについて、図１２のフローチャートを参照して説明する。図１２のサブルーチン処理は、第二の実施形態における図１１の処理に代えて行われる。
【００７１】
図１２のサブルーチンは水滴検知後に行われる。ステップＳ３２６において、制御回路２１は、高輝度発光モードか否かを判定する。制御回路２１は、高輝度照明灯（発光窓１２）の発光が許可されている場合にステップＳ３２６を肯定判定してステップＳ３２７へ進む。制御回路２１は、低輝度照明灯（発光窓１３）の発光が許可されている場合、もしくは高輝度照明灯および低輝度照明灯のいずれも発光が禁止されている場合にはステップＳ３２６を否定判定し、図１０のステップＳ２１５へ進む。
【００７２】
ステップＳ３２７において、制御回路２１は、低輝度照明灯発光モードに設定して図１０ステップＳ２１５へ進む。これにより、撮影時に照明光を発光する場合には低輝度照明灯（発光窓１３）が用いられる。
【００７３】
以上説明したように第三の実施形態によれば、レリーズ操作信号に応じて（ステップＳ２１３を肯定判定）撮影を行う前に水滴検知判定を行う（ステップＳ２１４）。水滴検出すると、高輝度照明灯の発光が許可されている場合（ステップＳ３２６を肯定判定）には低輝度照明灯の発光を許可した上で（ステップＳ３２７）、低輝度照明灯の発光が許可されている場合もしくは照明灯の発光が禁止されている場合（ステップＳ３２６を否定判定）にはそのままステップＳ２１５へ進み、それぞれ撮影を開始する。したがって、撮影時に発光される照明光は高輝度照明灯に比べて長い時間発光するので、たとえば、降雨時の撮影で雨粒が主要被写体の前で止まって見えるような撮影を防止し、画像を保護することができる。
【００７４】
以上の説明では、低輝度照明灯（発光窓１３）および高輝度照明灯（発光窓１２）がカメラに一体化されている例を説明したが、カメラに装着するタイプの照明灯でもよい。
【００７５】
低輝度照明灯（発光窓１３）および高輝度照明灯（発光窓１２）の双方を備える代わりに、発光輝度（発光レベル）および発光時間（発光持続時間）をそれぞれ変更可能に構成した照明灯を１つ備えるようにしてもよい。
【００７６】
カメラに４系統の水滴センサを配設する例を説明したが、水滴センサは４系統に限らず、２系統でも８系統でもよい。
【００７７】
特許請求の範囲における各構成要素と、発明を実施するための最良の形態における各構成要素との対応について説明する。水滴検出手段は、たとえば、水滴センサ３ｅ、３ｆ、３ｇ、３ｈおよび水滴検知回路２２によって構成される。閃光装置は、たとえば、低輝度照明灯（発光窓１３）および高輝度照明灯（発光窓１２）によって構成される。制御手段および発光制御手段は、たとえば、制御回路２１によって構成される。表示手段は、たとえば、表示器７（２３）によって構成される。なお、本発明の特徴的な機能を損なわない限り、各構成要素は上記構成に限定されるものではない。
【図面の簡単な説明】
【００７８】
【図１】本発明の第一の実施形態によるカメラの外観を説明する正面図である。
【図２】図１のカメラの要部構成を説明するブロック図である。
【図３】水滴センサを説明する図である。
【図４】水滴センサを説明する図である。
【図５】水滴センサを説明する図である。
【図６】水滴検知回路の構成例を説明する図である。
【図７】制御回路で行われるメイン処理の流れを説明するフローチャートである。
【図８】水滴検知後の処理の流れを説明するフローチャートである。
【図９】液晶表示モニタを有するカメラの背面図である。
【図１０】第二の実施形態によるカメラのメイン処理の流れを説明するフローチャートである。
【図１１】水滴検知後の処理の流れを説明するフローチャートである。
【図１２】第三の実施形態による水滴検知後の処理の流れを説明するフローチャートである。
【符号の説明】
【００７９】
１…フロントカバー
２…撮影レンズ
３ｅ、３ｆ、３ｇ、３ｈ…水滴センサ
５…鏡筒
６…レンズバリア羽根
７（２３）…表示器
１０…レリーズボタン
１１（２６）…自己復帰型スイッチ
１２…高輝度照明灯
１３…低輝度照明灯
２１…制御回路
２２…水滴検知回路
【図１】
2005274701.tif 000003
【図２】
2005274701.tif 000004
【図３】
2005274701.tif 000005
【図４】
2005274701.tif 000006
【図５】
2005274701.tif 000007
【図６】
2005274701.tif 000008
【図７】
2005274701.tif 000009
【図８】
2005274701.tif 000010
【図９】
2005274701.tif 000011
【図１０】
2005274701.tif 000012
【図１１】
2005274701.tif 000013
【図１２】
2005274701.tif 000014